(57)【要約】      （修正有）【課題】内部空間を有する人形に対し、外観上目立つことなく、外装部品を容易に装着できる装着補助具を提供する。【解決手段】内部空間を有する人形の外面に第１磁性体を備えた外装部品を装着するための装着補助具１００であって、前記人形の内部空間に対して着脱可能に設置される補助具本体と、前記補助具本体に設置され、前記外装部品と磁力によって吸着し合う第２磁性体１２０と、を具備する。【選択図】図４
2019111216.tif 000002
【特許請求の範囲】
【請求項１】
内部空間を有する人形の外面に第１磁性体を備えた外装部品を装着するための人形の部品装着補助具であって、
前記人形の内部空間に対して着脱可能に設置される補助具本体と、
前記補助具本体に設置され、前記外装部品が備える第１磁性体と磁力によって吸着し合う第２磁性体と、を具備することを特徴とする人形の部品装着補助具。
【請求項２】
前記補助具本体が、前記人形の内部空間に対して設置された状態において、前記人形の内面に沿って前記第２磁性体を配置するように構成されている請求項１記載の装着補助具。
【請求項３】
前記補助具本体が、可撓性を有するものである請求項１又は２のいずれかに記載の装着補助具。
【請求項４】
前記補助具本体が、弾力性を有するものである請求項１乃至３のいずれかに記載の装着補助具。
【請求項５】
前記補助具本体が、前記人形の内面に沿った外面を備え、
前記第２磁性体が、前記外面に沿って配置される請求項１又は２のいずれかに記載の装着補助具。
【請求項６】
前記補助具本体が、前記人形の内部空間に対し、前記人形の内面に間隔を空けて設けられた起伏に引っ掛かった状態で設置されるように構成されている請求項１乃至５のいずれかに記載の装着補助具。
【請求項７】
前記請求項１乃至６のいずれかに記載の装着補助具と、
前記第１磁性体を備えた外装部品と、を備えた人形用の外装部品装着キット。
【請求項８】
前記請求項１乃至７のいずれかに記載の装着補助具と、
前記第１磁性体を備えた外装部品と、を備えた人形。
【発明の詳細な説明】
【技術分野】
【０００１】
本発明は、装着補助具、外装部品装着キット及び人形に関するものである。
【背景技術】
【０００２】
従来の人形として、例えば、特許文献１には、硬質樹脂で形成された骨格体を軟質樹脂で形成された外皮で被覆した人形が開示されている。近年、この種の人形に対し、鬘や衣装を装着し、アニメ等のキャラクターをリアルに再現するような楽しみ方がなされている。
【０００３】
ところで、キャラクターの中には、頭から角が生えているものや、背中から翼が生えているものがあり、これらのキャラクターを再現する場合には、別途用意した角や翼等の外装部品を、人形やその人形に装着する鬘や衣装（以下、「人形等」ともいう）に対して取り付ける必要がある。
【０００４】
そこで、これまで需要者は、外装部品を人形等に取り付けるにあたって、接着剤を使用するか、或いは、クリップやピンなどの装着補助具を使用していた。
【０００５】
しかし、接着剤を使用すると、一度接着した外装部品を人形等から取り外した際に、接着跡が残るという問題がある。一方、前記装着補助具を使用すると、このような問題は生じないが、装着補助具が外観上目立ってしまいキャラクターの再現度が低下するという問題がある。
【先行技術文献】
【特許文献】
【０００６】
【特許文献１】特開２０１２−１０５８５９号公報
【発明の概要】
【発明が解決しようとする課題】
【０００７】
そこで、本発明は、内部空間を有する人形に対し、外観上目立つことなく、外装部品を容易に装着できる装着補助具を提供することを主な課題とするものである。
【課題を解決するための手段】
【０００８】
すなわち、本発明に係る装着補助具は、内部空間を有する人形の外面に第１磁性体を備えた外装部品を装着するための装着補助具であって、前記人形の内部空間に対して着脱可能に設置される補助具本体と、前記補助具本体に設置され、前記外装部品と磁力によって吸着し合う第２磁性体と、を具備することを特徴とするものである。
【０００９】
このようなものであれば、装着補助具が、人形の内部空間に設置され、人形等の外観に現れず、キャラクターの再現度を向上させることができる。また、人形の外面に対して外装部品を磁力によって装着するため、容易に取り外すことができ、跡も残らない。なお、第１磁性体を備えた外装部品には、外装部品の全部が第１磁性体からなっているもの、外装部品の一部が第１磁性体からなっているものが含まれる。また、第１磁性体と第２磁性体とは、互いに磁力によって吸着される関係にあればよく、一方が磁石である場合や双方が磁石である場合が含まれる。
【００１０】
また、前記装着補助具において、前記補助具本体が、前記人形の内部空間に対して設置された状態において、前記人形の内面に沿って前記第２磁性体を配置するように構成されているものであってもよい。
【００１１】
このようなものであれば、外装部品と第２磁性体との距離を近づけることができ、外装部品と第２磁性体との間に生じる磁力を高く維持できる。
【００１２】
また、前記いずれかの装着補助具において、前記補助具本体が、可撓性を有するものであってもよく、さらに、弾力性を有するものであってもよい。また、前記補助具本体が、前記人形の内面に沿った外面を備え、前記第２磁性体が、前記外面に沿って配置されているものであってもよい。なお、補助具本体を、可撓性を有するものにすれば、人形の内部空間へ挿入した場合に、適度に形が変形してある程度内部空間のサイズが異なるものであっても装着することができるようになる。
【００１３】
また、前記いずれかの装着補助具において、前記補助具本体が、前記人形の内部空間に対し、前記人形の内面に間隔を空けて設けられた起伏に対して掛け渡した状態で設置されるように構成されているものであってもよい。
【００１４】
このようなものであれば、人形の内面に設けられた起伏を利用し、人形の内部空間に対して装着補助具の位置決めを行うことができる。これにより、予め再現したいキャラクターに合わせて補助具本体に対する第２磁性体の位置を設定しておくことにより、装着補助具を人形の内部空間に設置するだけで外装部品の位置決めをある程度行うことができるようになる。
【００１５】
また、本発明に係る外装部品装着キットは、前記いずれかの装着補助具と、前記第１磁性体を備えた外装部品と、を備えたものである。
【００１６】
また、本発明に係る人形は、前記いずれかの装着補助具と、前記第１磁性体を備えた外装部品と、を備えたものである。
【発明の効果】
【００１７】
また、本発明によれば、内部空間を有する人形に対し、外観上目立つことなく、外装部品を容易に着脱できる。
【図面の簡単な説明】
【００１８】
【図１】実施形態１に係る装着補助具によって外装部品が取り付けられた状態の人形の頭部材を示す斜視図である。
【図２】実施形態１に係る人形の頭部材を示す断面図である。
【図３】実施形態１に係る装着補助具を模式的に示す斜視図である。
【図４】実施形態１に係る装着補助具を頭頂体に取り付ける前後の状態を示す斜視図である。
【図５】実施形態２に係る装着補助具を示す模式図である。
【発明を実施するための形態】
【００１９】
以下に、本発明に係る装着補助具を図面に基づいて説明する。
【００２０】
本発明に係る装着補助具は、内部空間を有する人形に対し、外装部品を取り付ける場合に使用される。なお、内部空間を有する人形としては、例えば、塩化ビニール等の軟質樹脂をスラッシュ成形によって成形した人形が挙げられるが、これに限定されない。因みに、人形には、人間を模したもの以外にも、ロボット、動物、架空生物等を模したものも含まれる。
【００２１】
＜実施形態１＞  本実施形態に係る装着補助具１００は、図１に示すように、人形の頭部材２００に対し、外装部品３００を取り付けるためのものである。そこで、先ず、外装部品３００を取り付ける対象となる頭部材２００の構成を図２に基づき詳述する。
【００２２】
前記頭部材２００は、軟質樹脂によって形成されている。そして、頭部材２００は、内部空間Ｓを有し、顔体２１０と頭頂体２２０とに二分割されている。具体的には、顔体２１０は、人の頭における頭頂部２２０以外の部分、具体的には、顔部、後頭部及び両側頭部を含む部分を模した外形を有している。また、頭頂体２２０は、人の頭における頭頂部を模した外形を有している。
【００２３】
前記顔体２１０は、頭頂体２２０との分割面の周縁から内側に向かって突出する嵌合受け部２１１を備えている。そして、嵌合受け部２１１は、その中央に開口２１２が設けられている。
【００２４】
前記頭頂体２２０は、顔体２１０との分割面の周縁から内側に向かって突出する嵌合部２２１を備えている。そして、篏合部２２１は、その中央に開口２２２が設けられており、その開口２２２から篏合受け部２１１の開口２１２に嵌り込む嵌合片２２３が突出している。なお、篏合片２２３は、円筒状のものであり、その断面が外側へ向かって膨らんだ円弧状になっている。これにより、篏合片２２３を開口２１２に嵌め込むと、篏合片２２３の膨らんだ部分が開口２１２に引っ掛かり、篏合片２２３が開口２１２から容易に抜けない構造になっている。
【００２５】
そして、顔体２１０及び頭頂体２２０は、顔体２１０の篏合受け部２１１と頭頂体２２０の篏合部２２１とを嵌め合わせることにより、内部空間Ｓを有する頭部材２００となる。
【００２６】
本実施形態においては、この頭部材２００における頭頂体２２０の所定位置に対し、装着補助具１００によって角状の外装部品３００を取り付ける。なお、外装部品３００には、頭頂体２２０と密着させる面側に第１磁性体３１０が設置されている。なお、本実施形態では、第１磁性体３１０として磁石を使用している。
【００２７】
前記装着補助具１００は、図３に示すように、軟質部材によって形成された補助具本体１１０と、その補助具本体１１０に設置され、外装部品３００の第１磁性体３１０と磁力によって吸着し合う三つの第２磁性体１２０と、を備えている。なお、本実施形態では、第２磁性体１２０として永久磁石を使用している。なお、永久磁石としては、例えば、ネオジウム磁石等を使用することができる。
【００２８】
前記補助具本体１１０は、可撓性を有し、さらに、弾力性を有するものである。そして、補助具本体１１０は、扁平であって略Ｘ字状になっている。具体的には、補助具本体１１０は、放射状に伸びる四つの支持アーム１１１と、四つの支持アーム１１１の内で一方側へ伸びる一対の支持アーム１１１ａの先端に架け渡される架橋アーム１１２と、を備えている。なお、一対の支持アーム１１１ａの先端部分には、それぞれ円形状の窪みが形成されており、その窪みに第２磁性体１２０が設置されている。また、架橋アーム１１２の中央にも、円形状の窪みが形成されており、その窪みに第２磁性体１２０が設置されている。なお、一対の支持アーム１１１ａは、その先端が互いに離れる方向に向かってカール状に湾曲している。また、四つの支持アーム１１１の内で他方側に向かって広がる一対の支持部１１１も、その先端が互いに離れる方向に向かってカール状に湾曲している。そして、補助具本体１１０は、一方側から他方側へ向かって伸びる中央線Ｘに対して線対称な形状になっている。
【００２９】
次の、本実施形態に係る装着補助具１００によって頭頂体２２０に対して外装部品３００を取り付ける手順を図４に基づき説明する。
【００３０】
先ず、頭頂体２２０の向きを確認する。そして、装着補助具１００は、図４（ａ）に示すように、その架橋アーム１１２を頭頂体２２０の顔面側に位置付け、他方側に伸びる一対の支持アーム１１１を後頭部側に位置付ける。また、装着補助具１００は、その中央線Ｘが頭頂体２２０の前後方向と一致するように配置する。この状態を維持しながら、頭頂体２２０の開口２２２から内部空間Ｓに対して装着補助具１００を嵌め込む。
【００３１】
その結果、頭頂体２２０の内部空間Ｓに嵌め込まれた装着補助具１００は、図４（ｂ）に示すように、各支持アーム１１１及び架橋アーム１１２が、頭頂体２２０の内面に沿って撓んで湾曲し、かつ、各支持アーム１１１の先端が、頭頂体２２０の嵌合部２２１の内側に接触する。なお、各支持アーム１１１は、その先端がカールしているため、装着補助具１００を、頭頂体２２０の内部空間Ｓに押し込んだ際に、無理なくそのカールしている方向へ撓んで湾曲する。これにより、装着補助具１００は、頭頂体２２０内に位置決めされた状態で篏合部２２１に引っ掛かって設置され、各第２磁性体２２２が、頭頂体２２０の内面に沿って配置される。また、補助具本体１１０は、弾力性を有しているため、その弾力によって頭頂体２２０の内面側に密着するようになり、容易に外れなくなる。
【００３２】
そして、図１に示すように、頭頂体２２０の外面に外装部品３００を配置し、外装部品３００に設置された第１磁性体３１０を装着補助具１００の第２磁性体１２０に吸着させることにより、頭頂体２２０に対して外装部品３００を装着する。
【００３３】
なお、補助具本体１００における第２磁性体１２０の位置は、予めキャラクターを参照して頭頂体２２０における外装部品３００の装着位置を確認し、補助具本体１１０を頭頂体２２０内に位置決めした状態で第２磁性体１２０が前記装着位置と対向するように設定されている。従って、装着補助具１００を頭頂体２２０に対して前記要領で嵌め込むことで、頭頂体２２０における外装部品３００の装着位置が自動的に決定され、これにより、誰でも簡単にキャラクターに合った装着位置に外装部品３００を装着することができるようになる。
【００３４】
なお、本実施形態においては、補助具本体１１０を、四つの支持アーム１１１を有するＸ字状のものとしたが、その他の形状のものであってもよい。例えば、四つ以外の複数の支持アーム１１１を有するものであってもよい。
【００３５】
＜実施形態２＞  本実施形態は、前記実施形態１に係る装着補助具の変形例である。本実施形態に係る装着補助具１００は、図５に示すように、頭頂体２２０の内面に沿った略球面状の外面を備える補助具本体１１５と、その補助具本体１１５の外面に設置される第２磁性体１２０と、を備えている。なお、補助具本体１１５は、二つの部材１１５ａ，１１５ｂに分割されており、二つの部材１１５ａ，１１５ｂの間隔を調整できる調整機構１１６を備えている。なお、本実施形態では、調整機構１１６として、一方の部材１１５ａから伸びる軸体１１６ａに鋸状の溝を設け、他方の部材１１５ｂに鋸状の溝が形成された軸受孔１１６ｂを設け、軸体１１６ａを軸受孔１１６ｂに差し込む機構を採用している。
【００３６】
本実施形態に係る装着補助具１００を頭頂体２２０の内部空間Ｓに嵌め込む場合には、先ず、補助具本体１００における二つの部材１１５ａ、１１５ｂの間隔を狭くした状態で内部空間Ｓに嵌め込み、その後、補助具本体１００における二つの部材１１５ａ，１１５ｂの間隔を広げる。これにより、装着補助具１００が、頭頂体２２０の内部空間Ｓに嵌め込まれた状態で嵌合部２２１に引っ掛かって位置決めされる。
【００３７】
＜その他の実施形態＞  前記各実施形態においては、装着補助具１００によって人形の頭部材２００に対して外装部品３００を装着する態様を示しているが、人形の胴部材、両腕部材、及び、両脚部材等の各部材に対して外装部品３００を装着する場合にも、本発明に係る装着補助具を使用することができる。
【００３８】
なお、外装部品３００に設置する第１磁性体３１０と、装着補助具１００に設置する第２磁性体１２０とは、互いに磁力によって吸着し合う関係にあればよく、例えば、第１磁性体３１０として磁極を有しないものを使用し、第２磁性体１２０として磁極を有するものを使用してもよく、逆に、第１磁性体３１０として磁極を有するものを使用し、第２磁性体１２０として磁極を有しないものを使用してもよく、また、両磁性体３１０，１２０として磁極を有するものを使用してもよく、この場合、両磁性体の対向する面が異極になるようにすればよい。
【００３９】
また、前記実施形態１においては、装着補助具１００を人形の内面に設けられた起伏に引っ掛けて設置しているが、例えば、人形が筒状の内部空間を有している場合には、筒状に丸めるように撓ませた装着補助具１００をその内部空間に差し込んで設置することもできる。この場合、装着補助具１００は、その内部空間内において弾力によって広がるように復元し、これにより、その内部空間の対向する内面をそれぞれ反対方向に押圧し、その内面との間に生じる摩擦抵抗によってずれないように設置される。よって、補助具本体１１０は、補助具本体１１０を人形の内部空間の内面に沿って湾曲させた状態で、少なくともその最長部分が内部空間の対向する内面をそれぞれ反対方向へ押圧できる長さを有している必要がある。なお、この設置方法は、例えば、人形の腕部材、脚部材又は胴部材に装着補助具１００を設置する場合に使用でき、また、球面状の内部空間を有する頭部材にも使用できる。
【００４０】
その他、本発明は前記各実施形態に限られず、その趣旨を逸脱しない範囲で種々の変形が可能であるのは言うまでもない。
【符号の説明】
【００４１】
１００  装着補助具
１１０  補助具本体
１２０  第２磁性体
２００  頭部材
Ｓ  内部空間
２１０  顔体
２２０  頭頂体
２２１  嵌合部
３００  外装部品
３１０  第１磁性体
【図１】
2019111216.tif 000003
【図２】
2019111216.tif 000004
【図３】
2019111216.tif 000005
【図４】
2019111216.tif 000006
【図５】
2019111216.tif 000007